(57)【特許請求の範囲】
【請求項１】
支持部と光ケーブル収容部とを一体化してなる長尺の支持部材の光ケーブル収容部に光ケーブルをたるませて収容し、固定した架空光ケーブルであって、支持部は支持線を内蔵し、光ケーブル収容部は樋状であり、光ケーブルは支持部材に対して断続的に固定されており、該支持部材の中立線よりも光ケーブル収容部に収容される光ケーブルの中立線が光ケーブル収容部の外側になることを特徴とする架空光ケーブル。
【請求項２】
支持線を内蔵した支持部と樋状の光ケーブル収容部とを一体化してなる長尺の支持部材であって、その中立線よりも光ケーブル収容部に収容される光ケーブルの中立線が光ケーブル収容部の外側になる該支持部材を、プーリにその収容部の底辺がプーリの周囲に接するように、プーリに巻き付けて移送しつつ収容部に光ケーブルを収容し、支持部と光ケーブル収容部とにバインド線を巻き付けて一体化することを特徴とする架空光ケーブルの製法。
【発明の詳細な説明】
【０００１】
【産業上の利用分野】
本発明は、低コストで製造効率が高く、架空布設に際しても光ファイバに歪が加わらない架空光ケーブルに関するものである。
【０００２】
【従来の技術】
従来の架空ケーブルとしては、図９に示したようなプレハンガ型のものが一般的である。図９中符号１で示されるものは光ファイバケーブルである。この光ファイバケーブル１は、金属撚線やＦＲＰロッドからなるテンションメンバ２の周囲に複数本の光ファイバ心線３…を集合し、この上から押え巻きテープ４を巻回し、この押え巻テープ４の上にシース５を被覆したものである。
図９中符号６で示されるものは支持体である。この支持体６は、鋼線よりなる支持線７…を複数本束ねてポリエチレン製のシース８で被覆を施したものである。
【０００３】
図９中符号９…で示されるものはポリエチレン製のハンガであり、このハンガ９…は、板状でかつだるま状のもので、前記の光ケーブル１および支持線６を一定間隔でモールドして一体とするものである。
このハンガ９…は、光ケーブル１と支持線６とを互に固定するものであり、光ケーブル１と支持線６とはハンガ９を垂直に貫通している。このハンガ９が架線上５００ｍｍ間隔に設けられていることから、光ケーブル１と支持線６とは互に平行に保たれ、一体となって架空ケーブルをなしている。
また、上記光ケーブル１は、各ハンガ９の間隔において支持線６に対してたるみを有する。光ケーブル１がこのたるみを有することにより、外部からなんらかの力が及ぶ場合にも、光ケーブル１内部の光ファイバに歪が加わることを避けられるようになっている。
【０００４】
【発明が解決しようとする課題】
ところで、このようなプレハンガ型架空光ケーブルにあっては、支持線に対して光ケーブルにたるみを持たせた状態に保ちながら、ハンガを一個毎にモールドによって射出成形するという製法によるために製造性が低く、製造コストが高くなってしまうという問題があった。
また、このハンガはポリエチレンよりモールドにて成形されるものであるが、ポリエチレンが冷却固化するまでこのモールド部を固定しておく必要があり、これが製造効率を大幅に低下させる原因となっていた。
【０００５】
本発明は、上記事情に鑑みてなされたものであり、従来のプレハンガ型構造と同様に架空布設においても光ファイバに歪が加わらないたるみを有し、なおかつ低コストで製造効率のよい架空光ケーブルとその製法を提供するものである。
【０００６】
【課題を解決するための手段】
本発明の架空光ケーブルは、支持部と光ケーブル収容部とを一体化してなる長尺の支持部材の光ケーブル収容部に光ケーブルをたるませて収容し、固定した架空光ケーブルであって、支持部は支持線を内蔵し、光ケーブル収容部は樋状であり、光ケーブルは支持部材に対して断続的に固定されており、該支持部材の中立線よりも光ケーブル収容部に収容される光ケーブルの中立線が光ケーブル収容部の外側になることを特徴とする。
【０００７】
また本発明の架空光ケーブルの製法は、支持線を内蔵した支持部と樋状の光ケーブル収容部とを一体化してなる長尺の支持部材であって、その中立線よりも光ケーブル収容部に収容される光ケーブルの中立線が光ケーブル収容部の外側になる該支持部材を、プーリにその収容部の底辺がプーリの周囲に接するように、プーリに巻き付けつつ移送するとともに、この収容部に光ケーブルを収容し、支持部と光ケーブル収容部とにバインド線を巻き付けて一体とすることにより光ケーブルが支持部材に対してたるみを有することを特徴とする。
【０００８】
以下、本発明を図面を参照して詳しく説明する。
図１は、本発明の架空光ケーブルの一例を示すものである。図１中符号１０で示されるものは長尺の支持部材であり、この支持部材１０は支持線７を内蔵する支持部１１と樋状の光ケーブル収容部１２とからなるものである。この光ケーブル収容部１２には、光ケーブル１がこれをたるませた状態で収容されており、この上から合成樹脂被覆鉄線などからなるバインド線１３を巻き付けて支持部材１０と光ケーブル１とを一体とし、架空光ケーブルが形成されている。
【０００９】
図２に示したものは、上記支持部材１０の一例である。図２中符号７で示されるものは支持線である。この支持線７は鋼線などからなり、この支持線７を複数本束ねたうえ、ポリエチレンなどの被覆材１５を施し、支持部１１としたものである。この支持部１１に対して光ケーブル収容部１２は平行であり、支持部１１に連続し、支持部１１と一体として設けられている。この光ケーブル収容部１２は、その断面形状が略半円状の樋状となっており、この光ケーブル収容部１２の凹み部分に光ケーブル１を収容するものである。
【００１０】
前記の光ケーブル１については、特に限定されるものではないが、例えば図９に示したような光ケーブル１が用いられる。このケーブル１は、金属撚線やＦＲＰロッドからなるテンションメンバ２の周囲に複数本の光ファイバ心線３…を集合し、この上から押え巻きテープ４を巻回し、この押え巻テープ４の上にシース５を被覆したものである。本発明の架空ケーブルに用いられる光ケーブル１としては、このような光ケーブルで外径５〜１５ｍｍであるものが適当である。
【００１１】
図３は、図２に示した本発明の架空ケーブルにおける支持部材１０の断面を示すものであり、その光ケーブル収容部１２に光ケーブル１が収容されている例である。各構成部分については図２に示したものと同一符号を付してその説明を省略する。このように光ケーブル１を収容した状態において、この支持部材１０は、光ケーブル１の中立線ｂが支持部材１０の中立線ａよりも光ケーブル収容部１２である樋状部の外側になるものである。
【００１２】
次に、図４を参照して本発明の架空ケーブルの製法を説明する。図中符号１６に示されるものはプーリである。このプーリ１６の周囲には、支持部材１０が光ケーブル収容部１２の樋状の底辺がプーリ１６に接するように巻きつけられている。この支持部材１０はプーリ１６の回転にともなって図中矢印方向にプーリ１６の周囲に沿って移送されるとともに、光ケーブル１を上方から送り込み、光ケーブル収容部１２に収容する。
【００１３】
上記の製法においては、支持部材１０に対して光ケーブル１に適当なたるみを与えるために、プーリ１６としては、その半径Ｒが６００〜１６００ｍｍであるものが好適である。また、支持部材１０と光ケーブル１とを一体化するバインド線１３を巻く位置としては、支持部材１０がプーリ１６に巻き付けられる直前の位置あるいは、支持部材１０がプーリ１６の外周に沿って曲げ状態となっている位置が望ましい。
この状態においてバインド線１３をプーリ１６と支持部材１０が接する位置で巻回して支持部材１０と光ケーブル１とを一体化し、架空光ケーブルとする。
【００１４】
このような製法にあっては、支持部材１０に光ケーブル１を収容した際に、光ケーブル１の中立線ｂが支持部材１０の中立線よりも光ケーブル収容部１２である樋状部の外側になるものを支持部材１０として用いプーリ１６に支持部材１０と光ケーブル１とを同時にまきつけ、かつ光ケーブル１が支持部材１０の外周側に位置するようにしているため、支持部材１０の巻回直径と光ケーブル１の巻回直径との差により、円周部分の長さに差が生じ、これによって、支持部材１０に光ケーブル１がたるんだ状態で収容され、一体化されることになる。
【００１５】
ところで、本発明における光ケーブルの支持部材１０は、上記の様に光ケーブル１を収容した際に光ケーブルの中立線ｂが支持部材１０の中立線ａよりも光ケーブル収容部１２である樋状部の外側になるものである限りにおいては、光ケーブル収容部１２の形状は図３に示した例と異なるものであってもよい。このような支持部材１０の断面図の例を図５、図６、図７、図８に示した。これら図５、図６、図７、図８に示した支持部材１０の例についても、各構成部分については図２に示したものと同一符号を付してその説明を省略する。
【００１６】
図５、図６、図７、図８に示した支持部材１０の例が図２に示した支持部材１０の例と異なるところは、各々の光ケーブル収容部１２の形状である。
図５および図６に示した支持部材１０の例では、光ケーブル収容部１２として、その断面形状がＪ字状となっており、図５に示したものでは、光ケーブル収容部１２と支持部１１とが、光ケーブル収容部１２のＪ字状の先端が支持部１１の中心に向うように一体化されている。一方図６に示した支持部材１０の例では、同様のＪ字状の光ケーブル収容部１２はその先端が支持部１１の外周に滑らかにつながるように一体化されている。
【００１７】
図７に示した支持部材１０の例では、光ケーブル収容部１２の形状は図２に示した例と似通っており、図２の例と異なる部分は、その断面形状からいうところの樋状部と支持部１１とを接続する部分であり、この接続部分の厚みが一様でなく、樋状部の外側は凹みを有しない。
図８に示した支持部材１０の例では、光ケーブル収容部１２は支持部１１を完全に包含している。また、光ケーブル１を収容した際に、その外周の半分以上を覆うような形状を有し、他の例と比較して最も一体感のあるものである。
【００１８】
【発明の効果】
以上説明したように、本発明の架空光ケーブルは、支持部と光ケーブル収容部とを一体化してなる長尺の支持部材の光ケーブル収容部に光ケーブルをたるませて収容し、固定した架空ケーブルであって、支持部は支持線を内蔵し、光ケーブル収容部は樋状であり、光ケーブルは支持部材に対して断続的に固定されているものである。
【００１９】
また本発明の架空光ケーブルの製法は、支持線を内蔵した支持部と樋状の光ケーブル収容部とを一体化してなる長尺の支持部材を、プーリにその収容部の底辺がプーリの周囲に接するように、プーリに巻き付けつつ移送するとともに、この収容部に光ケーブルを収容し、支持部と光ケーブル収容部とにバインド線を巻き付けて一体とすることにより、光ケーブルが支持部材に対してたるみを有するようにしたものである。
【００２０】
よって、架空光ケーブルの従来の製造法の複雑さを避け、製造に要する時間を短縮することができ、従って光ケーブルの製造効率をの向上を計ることができるのである。また、支持部材に対して光ケーブルにたるみをもたせることができ、このたるみによって光ファイバに歪が加わるのを防ぐことができ、長期の架空布設に耐える光ケーブルを提供することができるのである。
【図面の簡単な説明】
【図１】本発明における架空光ケーブルの一例を示す斜視図である。
【図２】本発明における光ケーブル支持部材の一例を示す斜視図である。
【図３】本発明における光ケーブル支持部材の一例を示す断面図である。
【図４】本発明の架空光ケーブルの製法を示す図である。
【図５】本発明における光ケーブル支持部材の実施例を示す断面図である。
【図６】本発明における光ケーブル支持部材の実施例を示す断面図である。
【図７】本発明における光ケーブル支持部材の実施例を示す断面図である。
【図８】本発明における光ケーブル支持部材の実施例を示す断面図である。
【図９】従来の架空光ケーブルの一例を示す図である。
【符号の説明】
１…光ケーブル、７…支持線、１０…支持部材、１１…支持部、１２…光ケーブル収容部、１３…バインド線、１６…プーリ。
【図１】
0003553161.tif 000002
【図２】
0003553161.tif 000003
【図３】
0003553161.tif 000004
【図４】
0003553161.tif 000005
【図５】
0003553161.tif 000006
【図６】
0003553161.tif 000007
【図７】
0003553161.tif 000008
【図８】
0003553161.tif 000009
【図９】
0003553161.tif 000010